(57)【要約】【課題】  従来、針で実際の時刻を表示していたのに取って代わり、発光モジュールの発光により、実際の時刻を表示し、従来の時刻表示装置の不便を改良する一種の時刻表示装置を提供する。【解決手段】  少なくとも一つのカウントユニットを用いて実際の時刻を計算し、及び、少なくとも１２個の発光モジュールを用いて、時刻位置に発光モジュールを円形の時刻位置に配置し、更に、該発光モジュールが前記カウントユニットの出力に合わせ、発光輝度を調整し、実際の時刻を表示する時刻表示装置であり、カウントユニットは時刻を計算して出力するタイムカウントユニットであり、発光モジュールは赤色発光体、緑色発光体及び青色発光体からなる。【選択図】  図４
0003123609.tif 000002
【実用新案登録請求の範囲】
【請求項１】
少なくとも一つのカウントユニットを用いて実際の時刻を計算し、及び、少なくとも１２個の発光モジュールを用いて、時刻位置に発光モジュールを配置し、更に、該発光モジュールが前記カウントユニットの出力に合わせ、発光輝度を調整し、実際の時刻を表示することを特徴とする時刻表示装置。
【請求項２】
前記カウントユニットは時刻を計算して出力するタイムカウントユニットであることを特徴とする請求項１記載の時刻表示装置。
【請求項３】
前記発光モジュールは赤色発光体、緑色発光体及び青色発光体からなることを特徴とする請求項１記載の時刻表示装置。
【請求項４】
前記発光モジュールの発光位置は１２個の数字記号の位置であることを特徴とする請求項１記載の時刻表示装置。
【請求項５】
前記発光モジュールの発光状態は、赤色発光体の発光輝度、緑色発光体の発光輝度及び青色発光体の発光輝度の各状態を組み合わせることを特徴とする請求項３記載の時刻表示装置。
【請求項６】
前記赤色発光体の発光輝度は、実際の時刻の「時」を表示することを特徴とする請求項５記載の時刻表示装置。
【請求項７】
前記緑色発光体の発光輝度は、実際の時刻の「分」を表示することを特徴とする請求項５記載の時刻表示装置。
【請求項８】
前記青色発光体の発光輝度は実際の時刻の「秒」を表示することを特徴とする請求項５記載の時刻表示装置。
【請求項９】
前記赤色発光体は、赤の発光ダイオードであることを特徴とする請求項３記載の時刻表示装置。
【請求項１０】
前記緑色発光体は、緑の発光ダイオードであることを特徴とする請求項３記載の時刻表示装置。
【請求項１１】
前記青色発光体は、青の発光ダイオードであることを特徴とする請求項３記載の時刻表示装置。
【考案の詳細な説明】
【技術分野】
【０００１】
本考案は、発光モジュールを時刻に沿って円形に配置した、一種の時刻を表す機能をもつ時刻表示装置に関する。
【背景技術】
【０００２】
従来公知の時刻表示装置の１例は、図１に示すように、少なくとも１つの時針１１、１つの分針１２、１つの秒針１３及び複数の時刻記号１４を時刻の位置へ円形に配列する。
前記公知の時針１１、分針１２及び秒針１３の片端を時刻表示装置の中心に固定し、時計用ムーブメントにより時計方向に回り、複数の時刻記号１４を指し、現在の実際の時刻を示す。さらに、時針１１は実際時刻の「時」の状態を示し、分針１２は実際時刻の「分」の状態を表し、秒針１３は実際時刻の「秒」の状態を表示する。
例えば、図１において、時針は時刻記号１４の１と２の間を指し、現在の時の実際状態は１時及び２時の間であり、さらに、分針は時刻記号１４の６を指し、現在の分の実際状態は３０分であることを示し、秒針は時刻記号１４の１０を指し、現在の秒の実際状態は５０秒であることを示している。すなわち、時刻表示装置は実際の時刻が１時３０分５０秒であることを示す。
【０００３】
上述の従来の時刻表示装置の時計用のムーブメントなど全て純機械式であり、長い間使用することにより、錆び、摩擦が生じ易く、実際の時刻より進んでしまう、或いは遅れてしまうようなことを招き、精密な実際の時刻を表すことが不可能となり、正確な実際の時刻を表すため、使用者が再びタイムディスプレイを校正しなければならない事態をもたらす。
そのため、デジタル・クロックとデジタル腕時計などの時刻表示装置が生まれ、一般的にその中にはカウントユニットが含まれており、実際時刻をカウントする。カウントユニットに集積回路を設け、より精確に時刻をカウントすることができる。
【０００４】
図２は、従来公知のもう一種の時刻表示装置の説明図であるが、複数のアワー・ディスプレイユニット２１、複数のミニット・ディスプレイユニット２２、複数のセカンド・ディスプレイユニット２３及び１つの公知のクロックが内蔵されるカウントユニットから構成される。前記アワー・ディスプレイユニット２１、ミニット・ディスプレイユニット２２、セカンド・ディスプレイユニット２３は一般的に透過型液晶パネル、あるいは、反射型液晶パネルを使用して、カウントユニットの実際時刻にあわせて、液晶でバックライト或いは反射ライトの輝度を調整して、実際の時刻を表す。
【０００５】
図３は、図２の従来の時刻表示装置の説明図であるが、例えば、実際の時刻は１時３０分５０秒なので、複数のアワー・ディスプレイユニット２１は輝度を調整して、『１』という形の組み合わせで、実際時刻は１時という状態を表し、また、複数のミニット・ディスプレイユニット２２は輝度を調整して、『３０』という形の組み合わせで、実際時刻は３０分という状態を表す。さらに、複数のセカンド・ディスプレイユニット２３は輝度を調整して、『５０』という形の組み合わせで、実際時刻は５０秒という状態を表す。
この結果、上述のアワー・ディスプレイユニット２１、ミニット・ディスプレイユニット２２、及びセカンド・ディスプレイユニット２３を利用して、実際時刻は１時３０分５０秒を時刻表示装置で表すことができるが、針で示す機械式時計と比べて時刻や時刻の間隔、即ち時間が見難いという問題があった。
【特許文献１】特開２０００−２３０９９０号公報
【考案の開示】
【考案が解決しようとする課題】
【０００６】
本考案は、上述した従来の時刻表示装置の不便に鑑みてなされたもので、少なくとも１２個の発光モジュールを使用し、発光モジュールを円形に時刻位置へ配置し、さらに、従来針で実際の時刻を表示していたのに取って代わり、発光モジュールの発光により、実際の時刻を表示する時刻表示装置を提供するものである。
【課題を解決するための手段】
【０００７】
上記の課題を解決するために、本考案の時刻表示装置は、カウントユニットおよび１２個以上の発光モジュールを用いて、発光モジュールを円形に時刻位置へ配置し、カウントユニットは実際の時刻を計り出力する公知のユニットであり、発光モジュールはカウントユニットの出力にあわせて、発光状態を調整し、実際の時刻を表示し、発光モジュールは赤、緑および青色の発光体から構成され、発光状態は、上述の発光体の発光輝度の状態を組み合わせるものである。しかも、赤色発光体は、発光輝度を用いて実際の時刻の「時」にあわせ、緑色発光体は発光輝度を用いて実際の時刻の「分」にあわせ、青色発光体は発光輝度を用いて実際の時刻の「秒」にあわせるように構成されている。
【０００８】
すなわち、請求項１の考案は、少なくとも一つのカウントユニットを用いて実際の時刻を計算し、及び、少なくとも１２個の発光モジュールを用いて、時刻位置に発光モジュールを配置し、更に、該発光モジュールが前記カウントユニットの出力に合わせ、発光輝度を調整し、実際の時刻を表示することを特徴とする時刻表示装置である。
請求項２の考案は、前記カウントユニットは時刻を計算して出力するタイムカウントユニットであることを特徴とする請求項１記載の時刻表示装置である。
請求項３の考案は、前記発光モジュールは赤色発光体、緑色発光体及び青色発光体からなることを特徴とする請求項１記載の時刻表示装置である。
請求項４の考案は、前記前記発光モジュールの発光位置は１２個の数字記号の位置であることを特徴とする請求項１記載の時刻表示装置である。
請求項５の考案は、前記発光モジュールの発光状態は、赤色発光体の発光輝度、緑色発光体の発光輝度及び青色発光体の発光輝度の各状態を組み合わせることを特徴とする請求項３記載の時刻表示装置である。
請求項６の考案は、前記赤色発光体の発光輝度は、実際の時刻の「時」を表示することを特徴とする請求項５記載の時刻表示装置である。
請求項７の考案は、前記緑色発光体の発光輝度は、実際の時刻の「分」を表示することを特徴とする請求項５記載の時刻表示装置である。
請求項８の考案は、前記青色発光体の発光輝度は実際の時刻の「秒」を表示することを特徴とする請求項５記載の時刻表示装置である。
請求項９の考案は、前記赤色発光体は、赤の発光ダイオードであることを特徴とする請求項３記載の時刻表示装置である。
請求項１０の考案は、前記緑色発光体は、緑の発光ダイオードであることを特徴とする請求項３記載の時刻表示装置である。
請求項１１の考案は、前記青色発光体は、青の発光ダイオードであることを特徴とする請求項３記載の時刻表示装置である。
【考案の効果】
【０００９】
上記構成からなる本考案の時刻表示装置によれば、従来の純機械式の針による時計の錆びや摩擦が生じ易く、実際時刻より進んだり遅れてしまうようなことや、デイスプレイ式の針で示す機械式時計と比べて時刻や時刻の間隔、即ち時間が見難いといた問題を解消し、時刻の表示が正確で、長期に亘って使用可能で、使用者が簡単に実際の時刻や時刻の間隔、即ち時間が分り、また、時刻や時間の推移を表示できることが可能となる。
【考案を実施するための最良の形態】
【００１０】
本考案の好適な発光モジュールを円形に配置する時刻表示装置の実施例を図面に沿って説明する。
図４に示すように、本考案の実施例の時刻表示装置は、カウントユニット（図示せず）および１２個以上の発光モジュール４１を用いて、発光モジュールを円形に時刻位置へ配置する。該時刻位置とは図４の円形パネル上の1,2,...と12個の時刻位置を指し、さらに、１２個の時刻記号４２を円形に配置するため、該発光モジュール４１がはっきり時刻位置を表示するようにしてある。カウントユニットは公知のクロックが内蔵された実際の時刻を計算し、計算結果の信号を出力するタイムカウントのユニットであり、発光モジュールはカウントユニット（図示せず）の出力に合わせ、発光状態を調整して、円形パネル上で実際の時刻を表示する。
【００１１】
図５は、図４に示している時刻表示装置の発光モジュールの拡大図である。図５に示すように、発光モジュール４１に赤色発光体４１１、緑色発光体４１２、青色発光体４１３から構成され、該赤色発光体４１１は赤色の発光ダイオードで赤色光を発し、緑色発光体４１２は緑色の発光ダイオードで緑色光を発し、青色発光体４１３は青色の発光ダイオードで青色光を発する。
また、発光モジュール４１の発光状態は、赤色発光体４１１、緑色発光体４１２、青色発光体４１３の発光の組み合わせることによりなる。さらに、赤色発光体４１１、緑色発光体４１２、青色発光体４１３はカウントユニットの出力にあわせ、発光輝度を調整して、実際の時刻を表示する。本実施例の中で、赤色発光体４１１、緑色発光体４１２および青色発光体４１３の発光輝度はそれぞれ、実際時刻の「時」の状態、「分」の状態および「秒」の状態にあわせるようにしている。
【００１２】
図６は、図４に示している時刻表示装置の正面図であるが、図６に示すように、実際時刻の１時３０分５０秒を例にすると、円形パネル上の時刻位置の時刻記号「１」に対応して発光モジュール６１の赤色発光体が発光輝度を最大に調整することによって、使用者は今の実際時刻の「時」が１時であることが分かるようにしてあり、また、時間時刻の時刻記号「６」に対応して発光モジュール６２の緑色発光体が発光輝度を最大に調整することによって、使用者は今の実際時刻の「分」が３０分であることが分かるようにしている。
また、時刻位置の時刻記号「1０」に対応して発光モジュール６３の青色発光体が発光輝度を最大に調整することによって、使用者は今の実際時刻の「秒」が５０秒であることが分かる。最後に使用者は上述の情報を結合し、すぐに実際時刻が１時３０分５０秒であることが分かるようにしている。
【００１３】
また、別の実施例として、以下のように時刻の状態を表示することもできる。
図６に示すように、実際時刻の「分」が３０分のとき、時刻の「時」の位置が１時と２時の間にあるため、時刻位置の時刻記号「１」と「２」に対応する発光モジュール６１、６４それぞれの赤色発光体の発光輝度を半分に調整することによって、使用者は今の実際時刻の「時」が１時と２時の間であることが分かるようにしている。
さらに、発光モジュール６１、６４の赤色発光体は実際時刻の「分」の状態によって、発光輝度の比例を調整する。例えば、実際時刻が時刻位置の時刻記号「２」、即ち２時の位置へ更に接近するとき、発光モジュール６１の赤色発光体が発光輝度をますます小さく調整し、発光モジュール６４の赤色発光体が発光輝度を大きく調整する。これによって、時刻や時間の推移を表示できる。
【００１４】
同様に、図６に示すように、円形パネル上の時刻位置の時刻記号「６」と７に対応する発光モジュール６２、６５のそれぞれ緑色発光体の発光輝度を調整することによって、使用者は今の実際時刻の「分」が３０分と３５分の間であることが分かようにしている。該発光モジュール６２の緑色発光体の発光輝度が大きくて、発光モジュール６５の緑色発光体の発光輝度が小さくなっていることによって、使用者は今の実際時刻の「分」状態が３０分に接近することが分かるようにしている。また、実際時刻が３５分に接近するとき、発光モジュール６２の緑色発光体が発光輝度を小さく調整し、発光モジュール６５の緑色発光体が発光輝度を大きく調整する。これによって、時刻や時間の推移を表示できる。同様に、実際時刻の秒を表示する青色発光体にも適用するようにしている。
【００１５】
図７は、本考案のもう一つの時刻表示装置の実施例であり、図７に示すように、時刻板７１（円形パネル）の上に透明な１２個の時刻記号７１１を円形状に配置する。さらに、図８に示すように、時刻板７１（円形パネル）の時刻記号７１１の下に前述の発光モジュール４１を設置し、実際時刻に対応する発光モジュール(図５の４１等)の発光が時刻記号７１１を照らすことによって、使用者は今の実際時刻が分かるようにしている。
【００１６】
前述したように、本考案の実施例の円形に配置する発光モジュールを具有する時刻表示装置では、従来、針で実際の時刻を表示していたのに取って代わり、発光モジュールの発光により、実際の時刻を表示するので、従来の純機械式の針による時計の錆びや摩擦が生じ易く、実際時刻より進んだり遅れてしまうようなことや、デイスプレイ式の針で示す機械式時計と比べて時刻や時刻の間隔、即ち、時間が見難いといった問題を解消し、時刻の表示が正確で、長期に亘って使用可能で、使用者が簡単に実際の時刻や時刻の間隔、即ち時間が分り、また、時刻や時間の推移を表示することができる。
【図面の簡単な説明】
【００１７】
【図１】従来の一種時刻表示装置の説明図である。
【図２】従来のもう一つの時刻表示装置の説明図である。
【図３】図２の時刻表示装置の時刻表示説明図である。
【図４】本考案の一種の時刻表示装置である。
【図５】図４における時刻表示装置の発光モジュールの拡大説明図である。
【図６】図４における時刻表示装置の正面図である。
【図７】本考案のもう一つの時刻表示装置である。
【図８】図７における時刻表示装置の内部説明図である。
【符号の説明】
【００１８】
１１  時針
１２  分針
１３  秒針
１４  時刻記号
２１  アワー・ディスプレーユニット
２２  ミニット・ディスプレーユニット
２３  セカンド・ディスプレーユニット
４１  発光モジュール
４１１  赤色発光体
４１２  緑色発光体
４１３  青色発光体
４２  時刻記号
６１  発光モジュール
６２  発光モジュール
６３  発光モジュール
６４  発光モジュール
６５  発光モジュール
７１  時刻板
７１１  時刻記号
【図１】
0003123609.tif 000003
【図２】
0003123609.tif 000004
【図３】
0003123609.tif 000005
【図４】
0003123609.tif 000006
【図５】
0003123609.tif 000007
【図６】
0003123609.tif 000008
【図７】
0003123609.tif 000009
【図８】
0003123609.tif 000010